(57)【要約】【課題】二重締切堤の構築に要する工期と費用と大幅に縮小するとともに、環境に与える影響を少なくすることのできる二重締切堤の構築方法を提供する。【解決手段】予め地上で組み立てたほぼ直方体状の枠体１を移動手段により二重締切堤１０の構築位置に設置し、この枠体１の両側面に矢板２を、この矢板（鋼矢板）２と地盤Ｇ面との間に間隙が生じないように取り付け、この矢板２で囲まれた枠体１の内部の空間に中詰材４を充填する。必要に応じて、枠体１を構成する部材１１〜１５に、それらの接合部の剛性を高める火打材１８，１９を取り付けたり、枠体１の側面の下端部に、前記矢板２を所定の取付位置に案内する案内部材１６を取り付けたりしても良い。また、枠体１を移動手段で移動可能な大きさに制作し、各枠体１を移動手段により前記二重締切堤の構築位置に並べて設置するようにしても良い。【選択図】　　　　図１
2004052277.tif 000002
【特許請求の範囲】
【請求項１】
予め地上で組み立てたほぼ直方体状の枠体を移動手段により二重締切堤の構築位置に設置し、
この枠体の両側面に矢板を、この止水版と地盤面との間に間隙が生じないように取り付け、
この矢板で囲まれた前記枠体の内部の空間に中詰材を充填すること
を特徴とする二重締切堤の構築方法。
【請求項２】
請求項１に記載の二重締切堤の構築方法において、
前記枠体を構成する部材に、それらの接合部の接合強度を高める火打材を取り付けること
を特徴とする二重締切堤の構築方法。
【請求項３】
請求項１又は２に記載の二重締切堤の構築方法において、
前記枠体の側面の下端部に、前記矢板を所定の取付位置に案内する案内部材を取り付けておくこと
を特徴とする二重締切堤の構築方法。
【請求項４】
請求項１〜３のいずれか一項に記載の二重締切堤の構築方法において、
前記枠体を、前記移動手段で移動可能な大きさに制作し、
これら各枠体を前記移動手段により前記二重締切堤の構築位置に並べて設置すること
を特徴とする二重締切堤の構築方法。
【発明の詳細な説明】
【０００１】
【発明の属する技術分野】
本発明は、海中や河川中に各種構造物を築造する際に、その構造物の基礎周辺を周囲水域から隔離するために施工される二重締切堤の構築方法に関する。
【０００２】
【従来の技術】
二重締切堤の施工方法として、従来、図９に示すように、一般的に鋼矢板や鋼管矢板などの矢板１０２を地盤Ｇ中に二列に打ち込み、双方の壁上端をタイロッド１１１でつないでから、中詰土砂１０４を二列の矢板で囲まれた空間の内部に充填することが行われている。
【０００３】
この二重締切堤の構築方法では、矢板１０２が水圧によって倒れ込むことを防止するため、これら矢板１０２を地盤Ｇ中へ打ち込むことが必須である。
【０００４】
このように、矢板を地盤中に打ち込むには、比較的多大な工期・工費を必要とする。また、二重締切堤の構築現場が狭隘な場所である場合には、適用可能な施工機械が限定される。さらに、水中で施工を行うので、水質汚濁など環境に対して悪影響を与える恐れもある。
【０００５】
【発明が解決しようとする課題】
本発明の課題は、二重締切堤の構築に要する工期と費用と大幅に縮小するとともに、環境に与える影響を少なくすることのできる二重締切堤の構築方法を提供することである。
【０００６】
【課題を解決するための手段】
以上の課題を解決するため、請求項１に記載の発明は、例えば図１〜図８に示すように、予め地上で組み立てたほぼ直方体状の枠体１を移動手段（図示省略）により二重締切堤１０の構築位置に設置し、
この枠体１の両側面に矢板２を、この矢板（鋼矢板）２と地盤Ｇ面との間に間隙が生じないように取り付け、
この矢板２で囲まれた前記枠体１の内部の空間に中詰材（中詰土砂）４を充填すること
を特徴とする。
【０００７】
請求項１に記載の発明によれば、水中の地盤の透水性が小さい場合、予め地上で組み立てたほぼ直方体状の枠体を移動手段により二重締切堤の構築位置に設置し、この枠体の両側面に矢板を、この矢板と地盤面との間に間隙が生じないように取り付け、この矢板で囲まれた枠体の内部の空間に中詰材を充填するので、作業が困難な水中における工数を削減できる。したがって、二重締切堤の構築に要する工期と費用と大幅に縮小することができる。
また、二重締切堤の矢板を地盤中に打ち込まないので、水中で土砂が巻き上がらず、環境に与える影響を少なくすることができる。
【０００８】
請求項２に記載の発明は、例えば図１〜図７に示すように、請求項１に記載の二重締切堤の構築方法において、
前記枠体１を構成する部材（下枠材）１１，（支柱）１２，（上枠材）１３，（連結材）１４，１５に、それらの接合部の剛性を高める火打材１８，１９を取り付けること
を特徴とする。
【０００９】
請求項２に記載の発明によれば、請求項１に記載の発明と同様の効果が得られるとともに、枠体を構成する部材に、それらの接合部の剛性を高める火打材が取り付けられるので、枠体の剛性及び強度が高められる。
したがって、二重締切堤が大きな水圧を受けても、その変形や漏水を抑えることができる。
【００１０】
請求項３に記載の発明は、例えば図１〜図８に示すように、請求項１又は２に記載の二重締切堤の構築方法において、
前記枠体１の側面の下端部に、前記矢板２を所定の取付位置に案内する案内部材（押え材）１６を取り付けておくこと
を特徴とする。
【００１１】
請求項３に記載の発明によれば、請求項１又は２に記載の発明と同様の効果が得られるとともに、枠体の側面の下端部に、矢板を所定の取付位置に案内する案内部材が取り付けられるので、矢板を枠体の側面に取り付ける際に、矢板の下端部を枠体の側面の所定の取付位置に合わせやすくなる。
特に、枠体を水中に設置した後、矢板を吊り下げて枠体の側面に取り付ける作業の一部は、作業が困難な水面下で行われることになるが、この作業を簡略化できる。
【００１２】
請求項４に記載の発明は、例えば図１〜図８に示すように、請求項１〜３のいずれか一項に記載の二重締切堤の構築方法において、
前記枠体１を、前記移動手段で移動可能な大きさに制作し、
これら各枠体１を前記移動手段により前記二重締切堤の構築位置に並べて設置すること
を特徴とする。
ここで、移動手段としては、例えばクレーンなどの揚重機械や、曳船などを用いることができる。
【００１３】
請求項４に記載の発明によれば、請求項１〜３のいずれか一項に記載の発明と同様の効果が得られるとともに、枠体を、移動手段で移動可能な大きさに制作し、これら各枠体を移動手段により二重締切堤の構築位置に並べて設置するので、全長が長い二重締切堤をも簡略な工程で構築することができる。
【００１４】
【発明の実施の形態】
以下、図面を参照しながら、本発明の二重締切堤の構築方法の実施の形態を詳細に説明する。
【００１５】
本実施の形態の二重締切堤の構築方法は、河川中に橋脚などの構造物を構築する際、この構造物の基礎部分をドライな環境で施工するため、その周囲に遮水用の二重締切堤を構築する際に適用されるものである。
図１は、この二重締切堤の縦断面図である。図２〜図４はそれぞれ、図１におけるＡ−Ａ矢視図及びＢ−Ｂ断面図、Ｃ−Ｃ断面図、Ｄ−Ｄ矢視図である。
【００１６】
この二重締切堤の構築方法では、まず、河川敷などに設けた作業ヤードで、鋼材１１〜１９を組み合わせて、図５に示すようなほぼ直方体状の枠体１を複数個組み立てる。
【００１７】
この枠体１の組立手順について説明する。まず、図５に示すように、下枠材１１の上面に支柱１２を立設し、この支柱１２の上端を上枠材１３で連結してほぼ長方形の枠を構成して、この枠の四つの隅角部に火打材１８を取り付ける。
そして、図５に示すように、この枠を複数個並べた状態で、各枠の支柱１２の下端と上端とをそれぞれ連結材１４，１５で連結するとともに、互いに隣接する支柱１２の間に火打材１９を取り付ける。
【００１８】
枠体１の側面の連結材１４，１５には、後述するように、鋼矢板（矢板）２（図６参照）が当接した状態に取り付けられる。下枠材１１には、下側の連結材１４に沿うようにして押え材（案内部材）１６を、転び止め材１７で取り付ける。連結材１４と押え材１６との間の距離は、図１、図２に示すように、鋼矢板壁の厚さＴと等しくなるように設定されている。
【００１９】
そして、これら枠体１をクレーン（移動手段）（図示省略）で吊り上げて、河川中の二重締切堤１０の構築線に沿って順次吊り降ろし、並べて設置する。
【００２０】
次いで、図６に示すように、鋼矢板２を、その下端部を枠体１の連結材１４と押え材１６との間に挿入し、かつ鋼矢板２の下端と地盤Ｇ面との間に間隙が生じないように、クレーンで枠体１の側面に吊り下げて順次設置する。
枠体１の側面に全ての鋼矢板２を設置した状態を、図７に示す。
【００２１】
さらに、図１、図２、図４に示すように、鋼矢板２の上端部側面に、二重締切堤１０の長さ方向に沿うように、溝形鋼からなる押え材３１をあてがう。そして、図１に示すように、枠体１の両側の鋼矢板２の上端部側面にそれぞれ配された押え材３１同士を引き寄せるようにタイロッド３で緊結して、鋼矢板３の上端部を枠体１の側面に固定する。
【００２２】
そして、図８に示すように、鋼矢板２で囲まれた枠体１の内部の空間に中詰土砂（中詰材）を充填し、圧密して、二重締切堤１０が完成する。
【００２３】
以上、本実施の形態に記載の二重締切堤の構築方法によれば、水中の地盤の透水性が小さい場合、予め地上で組み立てたほぼ直方体状の枠体１をクレーンにより二重締切堤１０の構築位置に設置し、この枠体１の両側面に鋼矢板２を、この矢板２と地盤Ｇ面との間に間隙が生じないように取り付け、この鋼矢板２で囲まれた枠体１の内部の空間に中詰土砂４を充填するので、作業が困難な水中における工数を削減できる。したがって、二重締切堤１０の構築に要する工期と費用と大幅に縮小することができる。
また、二重締切堤１０の鋼矢板２を地盤Ｇ中に打ち込まないので、水中で土砂が巻き上がらず、環境に与える影響を少なくすることができる。
【００２４】
また、枠体１を構成する部材１１〜１５に、それらの接合部の剛性を高める火打材１８，１９が取り付けられるので、枠体１の剛性及び強度が高められる。
したがって、二重締切堤１０が大きな水圧を受けても、その変形や漏水を抑えることができる。
【００２５】
また、枠体１の側面の下端部に、鋼矢板２を所定の取付位置に案内する押え材１６が取り付けられるので、鋼矢板２を枠体１の側面に取り付ける際に、鋼矢板２の下端部を枠体１の側面の所定の取付位置に合わせやすくなる。
特に、枠体１を水中に設置した後、鋼矢板２を吊り下げて枠体１の側面に取り付ける作業の一部は、作業が困難な水面下で行われることになるが、この作業を簡略化できる。
【００２６】
また、枠体１を、クレーンで移動可能な大きさに制作し、これら各枠体１をクレーンにより二重締切堤１０の構築位置に並べて設置するので、全長が長い二重締切堤をも簡略な工程で構築することができる。
【００２７】
なお、本発明は、上記の実施の形態に限定されることなく、本発明の趣旨を逸脱しない範囲において、種々の改良並びに設計の変更を行っても良い。
例えば、二重締切堤の高さに応じて、枠体の幅を適宜変更することが好ましい。
その他、具体的な細部構造等についても適宜に変更可能であることはもちろんである。
【００２８】
【発明の効果】
請求項１に記載の発明によれば、水中の地盤の透水性が小さい場合、予め地上で組み立てたほぼ直方体状の枠体を移動手段により二重締切堤の構築位置に設置し、この枠体の両側面に矢板を、この矢板と地盤面との間に間隙が生じないように取り付け、この矢板で囲まれた枠体の内部の空間に中詰材を充填するので、作業が困難な水中における工数を削減できる。したがって、二重締切堤の構築に要する工期と費用と大幅に縮小することができる。
また、二重締切堤の矢板を地盤中に打ち込まないので、水中で土砂が巻き上がらず、環境に与える影響を少なくすることができる。
【００２９】
請求項２に記載の発明によれば、請求項１に記載の発明と同様の効果が得られるとともに、枠体を構成する部材に、それらの接合部の剛性を高める火打材が取り付けられるので、枠体の剛性及び強度が高められる。
したがって、二重締切堤が大きな水圧を受けても、その変形や漏水を抑えることができる。
【００３０】
請求項３に記載の発明によれば、請求項１又は２に記載の発明と同様の効果が得られるとともに、枠体の側面の下端部に、矢板を所定の取付位置に案内する案内部材が取り付けられるので、矢板を枠体の側面に取り付ける際に、矢板の下端部を枠体の側面の所定の取付位置に合わせやすくなる。
特に、枠体を水中に設置した後、矢板を吊り下げて枠体の側面に取り付ける作業の一部は、作業が困難な水面下で行われることになるが、この作業を簡略化できる。
【００３１】
請求項４に記載の発明によれば、請求項１〜３のいずれか一項に記載の発明と同様の効果が得られるとともに、枠体を、移動手段で移動可能な大きさに制作し、これら各枠体を移動手段により二重締切堤の構築位置に並べて設置するので、全長が長い二重締切堤をも簡略な工程で構築することができる。
【図面の簡単な説明】
【図１】本発明の二重締切堤の構築方法によって構築される二重締切堤の一例を示す縦断面図である。
【図２】図１におけるＡ−Ａ矢視図及びＢ−Ｂ断面図である。
【図３】図１におけるＣ−Ｃ断面図である。
【図４】図１におけるＤ−Ｄ断面図である。
【図５】本発明の二重締切堤の構築方法で用いられる枠体の一例を示す斜視図である。
【図６】本発明の二重締切堤の構築方法の構築中の状況を示す斜視図である。
【図７】本発明の二重締切堤の構築方法の構築中の状況を示す斜視図である。
【図８】本発明の二重締切堤の構築方法の構築中の状況を示す斜視図である。
【図９】従来の二重締切堤の構造の一例を示す縦断面図である。
【符号の説明】
１　　　　　　枠体
１１　　　　　部材（下枠材）
１２　　　　　部材（支柱）
１３　　　　　部材（上枠材）
１４，１５　　部材（連結材）
１６　　　　　案内部材
１８，１９　　火打材
２　　　　　　矢板（鋼矢板）
４　　　　　　中詰材（中詰土砂）
Ｇ　　　　　　地盤
【図１】
2004052277.tif 000003
【図２】
2004052277.tif 000004
【図３】
2004052277.tif 000005
【図４】
2004052277.tif 000006
【図５】
2004052277.tif 000007
【図６】
2004052277.tif 000008
【図７】
2004052277.tif 000009
【図８】
2004052277.tif 000010
【図９】
2004052277.tif 000011